(57)【要約】【課題】保持できる円筒容器の大きさの範囲を、保持力を低下させることなく広げることができる円筒容器保持部を提供する。【解決手段】エンジン式フォークリフトの燃料タンクとして用いられる円筒容器５の中心軸線に沿って延びるとともに円筒容器５の円周面と接触する基台部２１と、基台部２１と交差する方向に延びて円筒容器５の円周面に巻き付く複数の角部３４が設けられた帯状の部材であり、隣接する角部３４の間の一部において円周面と離散的に接触する固定ベルト部３５と、が設けられていることを特徴とする。円筒容器５および固定ベルト部３５を異なる形状として両者を複数の位置で接触させることにより、固定ベルト部３５の弾性変形が利用できるようになり、保持できる円筒容器５の大きさの範囲を、保持力を低下させることなく広げることができる。【選択図】  図２
2014129031.tif 000002
【特許請求の範囲】
【請求項１】
エンジン式フォークリフトの燃料タンクとして用いられる円筒容器の中心軸線に沿って延びるとともに前記円筒容器の円周面と接触する基台部と、
該基台部と交差する方向に延びて前記円筒容器の円周面に巻き付く複数の角部が設けられた帯状の部材であり、隣接する前記角部の間の一部において前記円周面と接触する固定ベルト部と、
が設けられていることを特徴とする円筒容器保持部。
【請求項２】
前記固定ベルト部は、前記基台部に固定される第１固定ベルト部と、該第１固定ベルト部の端部に回動可能に固定される第２固定ベルト部と、が設けられ、
前記第２固定ベルト部には、前記第１固定ベルト部よりも前記角部が多く設けられていることを特徴とする請求項１記載の円筒容器保持部。
【請求項３】
前記第１固定ベルト部および前記第２固定ベルト部の開放端にわたって配置され、前記第１固定ベルト部および前記第２固定ベルト部が前記円筒容器の円周面に巻き付いた状態で保持する締付部であって、
前記第１固定ベルト部および前記第２固定ベルト部の一方に係止される雄ネジが形成された棒状の第１締付部と、前記第１固定ベルト部および前記第２固定ベルト部の他方に係止される前記第１締付部と噛み合う雌ネジが形成された第２締付部と、を有する締付部が設けられていることを特徴とする請求項２記載の円筒容器保持部。
【請求項４】
フォークリフトのカウンタウエイト上側に前記基台部が配置され、
前記フォークリフトを上面視した際に、前記基台部、前記固定ベルト部、前記締付部および前記円筒容器が、前記カウンタウエイトの外形線の内側に収まることを特徴とする請求項３記載の円筒容器保持部。
【請求項５】
前記基台部には、前記円筒容器の端部が押し当てられるエンドプレートが設けられ、
前記固定ベルト部は、前記エンドプレートとの間に前記円筒容器の中心を挟む位置に配置されていることを特徴とする請求項１から４のいずれか１項に記載の円筒容器保持部。
【請求項６】
前記基台部に固定される前記固定ベルト部の固定位置を、前記中心軸線の方向に調整する調整部が設けられていることを特徴とする請求項５記載の円筒容器保持部。
【請求項７】
前記調整部は、
前記基台部に設けられた前記中心軸線に沿って延びる長孔と、
前記固定ベルト部に設けられ、前記長孔に挿通されることにより前記固定ベルト部を前記基台部に固定する固定部と、
を有していることを特徴とする請求項６記載の円筒容器保持部。
【発明の詳細な説明】
【技術分野】
【０００１】
本発明は、エンジン式フォークリフトの燃料タンクとして用いられる円筒容器を保持する円筒容器保持部に関する。
【背景技術】
【０００２】
エンジン式フォークリフトでは、液化天然ガス（ＬＰＧ）をエンジンの燃料として用いるものが知られている。燃料であるＬＰＧは円筒形の密閉容器である燃料タンクに貯蔵されており、この燃料タンクがフォークリフトの車両に固定されている（例えば、特許文献１参照。）。
【０００３】
特許文献１に記載の技術では、フォークリフトの車両における後部上面に燃料タンクを保持するブラケットが配置されている。ブラケットには、燃料タンクの円周面を保持して固定する固定ベルトが設けられており、固定ベルトは燃料タンクの円周面と面接触する円弧形状に形成されている。
【先行技術文献】
【特許文献】
【０００４】
【特許文献１】特開２０００−０８６１８３号公報
【発明の概要】
【発明が解決しようとする課題】
【０００５】
特許文献１に記載の固定ベルトでは、燃料タンクの大きさ（具体的には円筒形の外径）が、予め想定された範囲内であれば、燃料タンクの円周面と面接触することから燃料タンクを確実に保持することができた。しかしながら、燃料タンクの大きさが予め想定された範囲よりも小さい場合や、大きい場合には、固定ベルトと燃料タンクの円周面との間に隙間が生じてしまい、燃料タンクの保持力が低下してしまうという問題があった。
【０００６】
本発明は、上記の課題を解決するためになされたものであって、保持できる円筒容器（燃料タンク）の大きさの範囲を、保持力を低下させることなく広げることができる円筒容器保持部を提供することを目的とする。
【課題を解決するための手段】
【０００７】
上記目的を達成するために、本発明は、以下の手段を提供する。
本発明の円筒容器保持部は、エンジン式フォークリフトの燃料タンクとして用いられる円筒容器の中心軸線に沿って延びるとともに前記円筒容器の円周面と接触する基台部と、該基台部と交差する方向に延びて前記円筒容器の円周面に巻き付く複数の角部が設けられた帯状の部材であり、隣接する前記角部の間の一部において前記円周面と接触する固定ベルト部と、が設けられていることを特徴とする。
【０００８】
本発明の円筒容器保持部によれば、円筒容器および固定ベルト部を異なる形状として両者を複数の位置で離散的に接触させることで、円筒容器を保持する力を落とすことなく、保持できる円筒容器の外径の範囲を広げることができる。つまり、固定ベルト部に複数の角部を設けて固定ベルト部と円筒容器とを離散的に点または線接触させ、固定ベルト部と円筒容器との間に隙間を設けている。
【０００９】
そのため、円筒容器の円周面に固定ベルト部を巻き付ける際に固定ベルト部が弾性変形することができ、円筒容器の外径の大小に影響されにくくなり保持できる円筒容器の外径
範囲が広がる。さらに、固定ベルト部の弾性力を円筒容器の保持に利用することにより、円筒容器をより保持しやすくなる。
【００１０】
上記発明において前記固定ベルト部は、前記基台部に固定される第１固定ベルト部と、該第１固定ベルト部の端部に回動可能に固定される第２固定ベルト部と、が設けられ、前記第２固定ベルト部には、前記第１固定ベルト部よりも前記角部が多く設けられていることが好ましい。
【００１１】
このように第１固定ベルト部に回動可能に固定される第２固定ベルト部により多くの角部を設けることにより、円筒容器をより保持しやすくなる。円筒容器保持部に円筒容器を保持させる場合、第１固定ベルト部が固定された基台部に円筒容器を載せた後に、第２固定ベルト部が円筒容器の円周面に巻き付けられる。このとき、角部がより多く設けられた第２固定ベルト部を円周面に巻き付けることにより、第１固定ベルト部に角部が多く設けられている場合と比較して、固定ベルト部を弾性変形させやすく円筒容器をより保持しやすくなる。
【００１２】
上記発明には更に、前記第１固定ベルト部および前記第２固定ベルト部の開放端にわたって配置され、前記第１固定ベルト部および前記第２固定ベルト部が前記円筒容器の円周面に巻き付いた状態で保持する締付部であって、前記第１固定ベルト部および前記第２固定ベルト部の一方に係止される雄ネジが形成された棒状の第１締付部と、前記第１固定ベルト部および前記第２固定ベルト部の他方に係止される前記第１締付部と噛み合う雌ネジが形成された第２締付部と、を有する締付部が設けられていることが望ましい。
【００１３】
このようにネジ式の締付部により第１固定ベルト部および第２固定ベルト部を円筒容器の円周面に巻き付けた状態で保持することにより、円筒容器を保持しやすくなる。締付部を、雄ネジを有する第１締付部および雌ネジを有する第２締付部から構成されるネジ式にすることにより、リンク機構を用いて締付を行う構成と比較して保持できる円筒容器の外径の範囲を広げやすくなり、円筒容器を保持しやすくなる。
【００１４】
上記発明においてフォークリフトのカウンタウエイト上側に前記基台部が配置され、前記フォークリフトを上面視した際に、前記基台部、前記固定ベルト部、前記締付部および前記円筒容器が、前記カウンタウエイトの外形線の内側に収まることが好ましい。
【００１５】
このように円筒容器保持部および保持された円筒容器を、カウンタウエイトの外形線の内側に収めることにより、フォークリフトを運用時に円筒容器保持部および円筒容器が外部の構造物と接触しにくくなる。
【００１６】
上記発明において前記基台部には、前記円筒容器の端部が押し当てられるエンドプレートが設けられ、前記固定ベルト部は、前記エンドプレートとの間に前記円筒容器の中心を挟む位置に配置されていることが好ましい。
【００１７】
このようにエンドプレートとの間に円筒容器の中心を挟む位置に固定ベルト部を配置することにより、円筒容器を安定して保持しやすくなる。円筒容器は、円筒容器保持部に保持される際に端部がエンドプレートに押し当てられる。そして、エンドプレートと固定ベルト部との間に円筒容器の中心が位置するため、当該中心がエンドプレートと固定ベルト部との間に存在しない場合と比較して、円筒容器を安定して保持することができる。
【００１８】
上記発明において前記基台部に固定される前記固定ベルト部の固定位置を、前記中心軸線の方向に調整する調整部が設けられていることが好ましい。
このように調整部を設けることにより、固定ベルト部の固定位置を中心軸線の方向に調
整可能となり、円筒容器を安定して保持しやすくなる。例えば、保持される円筒容器の長さ（中心軸線方向の長さ）の範囲が広い場合には、エンドプレートと固定ベルト部との間から円筒容器の中心が外れる場合がある。その際に、固定ベルト部の固定位置を変更することにより、エンドプレートと固定ベルト部との間に円筒容器の中心を納めることが可能となるため、円筒容器を安定して保持することができる。
【００１９】
上記発明において前記調整部は、前記基台部に設けられた前記中心軸線に沿って延びる長孔と、前記固定ベルト部に設けられ、前記長孔に挿通されることにより前記固定ベルト部を前記基台部に固定する固定部と、を有していることが好ましい。
【００２０】
このように長孔に沿って固定ベルト部の固定位置を変更可能にすることにより、円筒容器を安定して保持しやすくなる。具体的には、固定部を長孔に挿通させる位置を変更することにより、基台部に対する固定ベルト部の固定位置を変更することができる。その結果、基台部に保持される円筒容器に対する固定ベルト部の相対位置が変更され、エンドプレートと固定ベルト部との間に円筒容器の中心を納めることが可能となるため、円筒容器を安定して保持することができる。
【００２１】
なお、基台部に設けられる調整部は上述のように長孔であってもよいし、中心軸線に沿って間隔をあけて配置される複数のボルト穴や貫通孔であってもよい。複数の貫通孔等である場合には、固定部を挿通させる貫通孔等を選択することにより、固定ベルト部の固定位置が変更される。
【発明の効果】
【００２２】
本発明の円筒容器保持部によれば、円筒容器および固定ベルト部を異なる形状として両者を複数の位置で離散的に接触させることにより、固定ベルト部の弾性変形が利用できるようになり、保持できる円筒容器の大きさの範囲を、保持力を低下させることなく広げることができるという効果を奏する。
【図面の簡単な説明】
【００２３】
【図１】本発明の一実施形態に係る燃料タンク保持部の配置を説明する後面視図である。
【図２】図１の燃料タンク保持部の配置を説明する側面視図である。
【図３】図１の燃料タンク保持部の配置を説明する上面視図である。
【図４】図１の燃料タンク保持部の構成を説明する側面視図である。
【図５】図４の燃料タンク保持部の構成を説明する斜視図である。
【図６】図４の燃料タンク保持部の構成を説明する斜視図である。
【図７】上側固定ベルト部の他の実施形態を説明する模式図である。
【発明を実施するための形態】
【００２４】
この発明の一実施形態に係るフォークリフト１に設けられる燃料タンク保持部１０について、図１から図６を参照しながら説明する。本実施形態では本発明の円筒容器保持部が、エンジン式フォークリフト（以下、「フォークリフト１」と表記する。）の燃料タンク５として用いられる円筒容器を保持する燃料タンク保持部１０である例に適用して説明する。
【００２５】
燃料タンク保持部１０は、図１から図３に示すように、フォークリフト１のカウンタウエイト２が配置された後部の上面に配置されている。燃料タンク保持部１０に保持される燃料タンク５は、フォークリフト１のエンジンの燃料として用いられるＬＰＧが貯蔵される密閉された円筒状の耐圧容器である。
【００２６】
燃料タンク保持部１０は、図４から図６に示すように、フォークリフト１の後部上面に取り付けられる基台部２１と、燃料タンク５に巻き付けられる下側固定ベルト部（第１固定ベルト部）３１および上側固定ベルト部（第２固定ベルト部）３２と、下側固定ベルト部３１および上側固定ベルト部３２を燃料タンク５に巻き付かせた状態で保持する締付部４１と、から主に構成されている。
【００２７】
基台部２１は、その上側に燃料タンク５が載せられるものであり、燃料タンク５を下側から支持するものである。基台部２１には、回転部２２と、一対のフレーム部２４と、エンドプレート２７と、把持部２８と、が主に設けられている。
【００２８】
回転部２２は、フォークリフト１の後端上面に固定される部分であり、回転部２２には一対のフレーム部２４の端部が溶接などの固定方法を用いて取り付けられるものである。また、回転部２２は、フォークリフト１の後端上面に対して直交する回転軸線Ｌを中心として、基台部２１つまり燃料タンク保持部１０を回転可能に支持するものである。
【００２９】
一対のフレーム部２４は、燃料タンク５を下側から支持する棒状の部材であり、本実施形態では断面がＬ字状に形成された部材である例に適用して説明する。一対のフレーム部２４は、所定の間隔をあけて平行に並んで配置され、一方の端部は回転部２２に固定されるとともに、反対側の端部はエンドプレート２７に溶接などの固定方法により固定されている。
【００３０】
フレーム部２４の中央には、フレーム部２４の長手方向に延び、下側固定ベルト部３１の固定に用いられる長孔（調整部）２５が設けられている。さらに、一対のフレーム部２４の一つには、燃料タンク保持部１０を回転軸線Ｌまわりに回転させる際に把持される取手部２６が設けられている。
【００３１】
エンドプレート２７は、基台部２１に載せられた燃料タンク５の端部、例えば底面が押し当てられる部材である。エンドプレート２７は断面がＬ字状に折り曲げられた板状の部材であり、フレーム部２４が固定される部分と、上方に延びて燃料タンク５が押し当てられる部分と、を有している。
【００３２】
把持部２８は、回転部２２と同様にフォークリフト１の後端上面に固定される部分と、エンドプレート２７に固定される部分と、を有するものである。把持部２８は、ボルトおよびナットのような固定部材により、結合および分離が可能な構成とされている。把持部２８が分離されると、燃料タンク保持部１０は回転軸線Ｌまわりに回転可能となり、把持部２８が結合されると、燃料タンク保持部１０は回転することなくフォークリフト１に固定される。
【００３３】
下側固定ベルト部３１および上側固定ベルト部３２は、帯状に形成された金属板から構成される部材であり、基台部２１に載せられた燃料タンク５の円周面に巻き付けられ、燃料タンク５を保持するものである。下側固定ベルト部３１と、上側固定ベルト部３２との間には、両者を回動可能に接続する蝶番部３３が設けられている。
【００３４】
下側固定ベルト部３１は、フレーム部２４に設けられた長孔２５にボルトなどの固定部材を用いて固定されるものであり、長孔２５に沿って固定位置を変更することができるものである。下側固定ベルト部３１は、一対のフレーム部２４が延びる方向と直交する方向に延びて配置されており、一対のフレーム部２４の間は直線状に配置されている。下側固定ベルト部３１におけるフォークリフト１の前方側の端部（図４の左側の端部）は、上方に折れ曲がり、燃料タンク５の中央付近まで直線状に延びて蝶番部３３が取り付けられている。後方側の端部（図４の右側の端部）も上方に折れ曲がり、前方側の端部よりも低い
位置まで直線状に延びて締付部４１が嵌められる円弧状の形状に形成されている。
【００３５】
上側固定ベルト部３２は、蝶番部３３によって回動可能に支持された弧を描くように多角形状に折り曲げられた部材であり、燃料タンク５の円周面に上方から覆いかぶさるように配置されるものである。本実施形態では、４つの角部３４と、これら角部３４の間の直線部３５と、から構成される多角形状の上側固定ベルト部３２である例に適用して説明する。上側固定ベルト部３２における蝶番部３３が設けられた端部と反対側の端部には、締付部４１が嵌め込まれるスリット３６が設けられている。
【００３６】
締付部４１は、図５および図６に示すように、下側固定ベルト部３１および上側固定ベルト部３２の間をつなぐ部材であり、かつ、下側固定ベルト部３１および上側固定ベルト部３２とともに燃料タンク５の保持力を保つものである。締付部４１には、下側固定ベルト部３１によって回動可能に支持され、雄ネジが形成された棒状の第１締付部４２と、第１締付部４２の噛み合わされる雌ネジが形成され、上側固定ベルト部３２の端部に押し付けられる第２締付部４３と、設けられている。第２締付部４３には、締付を容易にする星型のハンドルが設けられている。
【００３７】
次に、上記の構成からなる燃料タンク保持部１０における燃料タンク５の保持について説明する。燃料タンク保持部１０に燃料タンク５を載せて保持する場合には、図３に示すように、把持部２８を分離させて取手部２６を後方に引っ張ることにより、基台部２１を回転軸線Ｌまわりに回転させる。その後、基台部２１のフレーム部２４の上に燃料タンク５が載せられる。
【００３８】
この時、上側固定ベルト部３２は、蝶番部３３を中心としてフレーム部２４の上方から逃げる方向に回動されている。また、燃料タンク５は人力によってフレーム部２４の上に載せられる。
【００３９】
その後、図５および図６に示すように、上側固定ベルト部３２は、回動されて燃料タンク５の円周面に巻き付けられる。次いで、第１締付部４２を上側固定ベルト部３２のスリット３６に差し込み、第１締付部４２および第２締付部４３の雄ネジと雌ネジを噛み合わせ、上側固定ベルト部３２を燃料タンク５に締め付ける。
【００４０】
最後に、基台部２１を回転軸線Ｌまわりに回転させて、図１から３に示すように、分離していた把持部２８を結合させて固定することにより、燃料タンク保持部１０に燃料タンク５を保持させる作業が終了する。
【００４１】
次に、下側固定ベルト部３１および上側固定ベルト部３２の位置調整について図５および図６を参照しながら説明する。下側固定ベルト部３１は、フレーム部２４に設けられた長孔２５にポルト２９などの固定部（調整部）を用いて固定されている。そのため、ボルトによる固定を解除することにより、下側固定ベルト部３１、および、蝶番部３３を介して下側固定ベルト部３１に取り付けられた上側固定ベルト部３２は、長孔２５の延びる方向に固定位置を移動させることができる。
【００４２】
下側固定ベルト部３１を所望の位置まで移動させた後、再び、ボルト２９などを用いて下側固定ベルト部３１をフレーム部２４に固定することで、下側固定ベルト部３１および上側固定ベルト部３２の位置調整作業は終了する。なお、所望の位置としては、下側固定ベルト部３１およびエンドプレート２７の間に燃料タンク５の中心が配置される位置を例示することができる。
【００４３】
上記の構成の燃料タンク保持部１０によれば、燃料タンク５および上側固定ベルト部３
２を異なる形状として両者を複数の位置で離散的に接触させることで、燃料タンク５を保持する力を落とすことなく、保持できる燃料タンク５の外径の範囲を広げることができる。つまり、上側固定ベルト部３２に複数の角部３４を設けて上側固定ベルト部３２と燃料タンク５とを離散的に点または線接触させ、上側固定ベルト部３２と燃料タンク５との間に隙間を設けている。
【００４４】
そのため、燃料タンク５の円周面に上側固定ベルト部３２を巻き付ける際に上側固定ベルト部３２が弾性変形することができ、燃料タンク５の外径の大小に影響されにくくなり保持できる燃料タンク５の外径範囲が広がる。さらに、上側固定ベルト部３２の弾性力を燃料タンク５の保持に利用することにより、燃料タンク５をより保持しやすくなる。
【００４５】
下側固定ベルト部３１に回動可能に固定される上側固定ベルト部３２により多くの角部３４を設けることにより、燃料タンク５をより保持しやすくすることができる。燃料タンク保持部１０に燃料タンク５を保持させる場合、下側固定ベルト部３１が固定された基台部２１に燃料タンク５を載せた後に、上側固定ベルト部３２が燃料タンク５の円周面に巻き付けられる。このとき、角部３４がより多く設けられた上側固定ベルト部３２を円周面に巻き付けることにより、下側固定ベルト部３１に角部３４が多く設けられている場合と比較して、上側固定ベルト部３２を弾性変形させやすく燃料タンク５をより保持しやすくなる。
【００４６】
ネジ式の締付部４１により下側固定ベルト部３１および上側固定ベルト部３２を燃料タンク５の円周面に巻き付けた状態で保持することにより、燃料タンク５を保持しやすくなる。締付部４１を、雄ネジを有する第１締付部４２および雌ネジを有する第２締付部４３から構成されるネジ式にすることにより、リンク機構を用いて締付を行う構成と比較して保持できる燃料タンク５の外径の範囲を広げやすくなり、燃料タンク５を保持しやすくなる。
【００４７】
図２に示すように、燃料タンク保持部１０および保持された燃料タンク５を、カウンタウエイト２の外形線の内側に収めることにより、フォークリフト１を運用時に燃料タンク保持部１０および燃料タンク５が外部の構造物と接触しにくくなる。
【００４８】
エンドプレート２７との間に燃料タンク５の中心を挟む位置に下側固定ベルト部３１および上側固定ベルト部３２を配置することにより、燃料タンク５を安定して保持しやすくなる。燃料タンク５は、燃料タンク保持部１０に保持される際に端部がエンドプレート２７に押し当てられる。そして、エンドプレート２７と下側固定ベルト部３１および上側固定ベルト部３２との間に燃料タンク５の中心が位置するため、当該中心がエンドプレート２７と下側固定ベルト部３１および上側固定ベルト部３２との間に存在しない場合と比較して、燃料タンク５を安定して保持することができる。
【００４９】
さらに、長孔２５に沿って下側固定ベルト部３１および上側固定ベルト部３２の配置位置を変更可能にすることにより、燃料タンク５を安定して保持しやすくなる。例えば、保持される燃料タンク５の長手方向長さ（中心軸線方向の長さ）の範囲が広い場合には、エンドプレート２７と下側固定ベルト部３１および上側固定ベルト部３２との間から燃料タンク５の中心が外れる場合がある。その際に、下側固定ベルト部３１および上側固定ベルト部３２の配置位置を変更することにより、エンドプレート２７と下側固定ベルト部３１および上側固定ベルト部３２との間に燃料タンク５の中心を納めることが可能となるため、燃料タンク５を安定して保持することができる。
【００５０】
なお、上述の実施形態では、上側固定ベルト部３２における角部３４の間が直線部３５である例に適用して説明したが、上側固定ベルト部３２と燃料タンク５との間に隙間を確
保できれば、図７（ａ）に示すように、角部３４の間を曲線状の曲線部３５Ａとしてもよく、角部３４と角部３４との間の形状を特に限定するものではない。
【００５１】
さらに、上側固定ベルト部３２は一枚の帯状の金属板を角部３４で折り曲げて形成してもよいし、図７（ｂ）に示すように、複数の金属板を角部３４の位置を蝶番３４Ａでつなぎ、蝶番３４Ａにおいて回動可能に構成した者であってもよく、角部３４の構成を特に限定するものではない。
【００５２】
その他に上述の実施形態では、締付部４１が、雄ネジが形成された棒状の第１締付部４２と、第１締付部４２の噛み合わされる雌ネジが形成された第２締付部４３と、の組み合わせである例に適用して説明したが、下側固定ベルト部３１および上側固定ベルト部３２の間をつなぎ、下側固定ベルト部３１および上側固定ベルト部３２とともに燃料タンク５の保持力を保つものであればよく、さらに、燃料タンク保持部１０が保持できる燃料タンク５の外径範囲を広くすることができればよく、その構成を限定するものではない。例えば、棒状の第１締付部４２の上端には、星型のハンドルが溶接などの方法により固定されるとともに下端に雄ネジが形成され、下側固定ベルト部３１に回動可能に支持されるとともに第１締付部４２と直交して配置される丸棒に、第１締付部４２と噛み合わされる雌ネジが形成された構成であってもよい。
【００５３】
なお、本発明の技術範囲は上記実施形態に限定されるものではなく、本発明の趣旨を逸脱しない範囲において種々の変更を加えることが可能である。例えば、上記の実施の形態においては、この発明を、燃料タンクを保持する燃料タンク保持部に適用して説明したが、保持する対象は燃料タンクに限定されるものではなく、その他円筒状の容器を保持するものに適用できるものである。
【符号の説明】
【００５４】
１…フォークリフト、２…カウンタウエイト、５…燃料タンク（円筒容器）、１０…燃料タンク保持部（円筒容器保持部）、２１…基台部、２５…長孔（調整部）、２７…エンドプレート、２９…ボルト（固定部、調整部）、３１…下側固定ベルト部（第１固定ベルト部）、３２…上側固定ベルト部（第２固定ベルト部）、３４…角部、４１…締付部、４２…第１締付部、４３…第２締付部
【図１】
2014129031.tif 000003
【図２】
2014129031.tif 000004
【図３】
2014129031.tif 000005
【図４】
2014129031.tif 000006
【図５】
2014129031.tif 000007
【図６】
2014129031.tif 000008
【図７】
2014129031.tif 000009